(57)【特許請求の範囲】
【請求項１】
送信デバイスおよび受信デバイスから成るデジタル通信用送受信システムであって、前記送信デバイスは、入力用端子、第１圧電基板、入力用すだれ状電極、第１電極群、包絡線検波器および出力用端子から成り、前記入力用すだれ状電極および前記第１電極群は前記第１圧電基板に設けられており、前記入力用すだれ状電極は、少なくとも３つの電極対Pi (i=1, 2,…, n)から成り、一定の符号パターンを有し、前記電極対Piのうちの隣り合う２つは離間距離Lを有し、前記第１電極群はすだれ状電極A0と、前記すだれ状電極A0から距離iL (i=1)だけ離れたすだれ状電極Ai (i=1)から成り、前記受信デバイスは、受信用端子、第２圧電基板、第２電極群、中継用すだれ状電極、出力用すだれ状電極および検出用端子から成り、前記第２電極群、前記中継用すだれ状電極および前記出力用すだれ状電極は前記第２圧電基板に設けられており、前記第２電極群は中央すだれ状電極B0と、前記中央すだれ状電極B0から距離L0だけ離れた左すだれ状電極B-1と、前記中央すだれ状電極B0から距離L0+iL (i=1)だけ離れた右すだれ状電極Bi (i=1)から成り、前記出力用すだれ状電極は前記入力用すだれ状電極とは逆の符号パターンを有し、前記入力用すだれ状電極に前記入力用端子を介してメッセージデジタル信号のパルス（１）が印加されることにより、前記第１圧電基板に第１弾性表面波が励振され、前記第１弾性表面波に対応する符号化バースト信号が、前記すだれ状電極A0で検出された後、前記距離iLに対応する時間だけ遅延して再び前記すだれ状電極Aiで検出され、前記すだれ状電極A0での前記符号化バースト信号および前記すだれ状電極Aiでの前記符号化バースト信号の合成出力信号は、前記包絡線検波器で二重符号化デジタル信号に変換され、前記二重符号化デジタル信号は前記出力用端子を介してデジタルネットワーク中に放出され、前記受信用端子を介して前記デジタルネットワーク中から前記二重符号化デジタル信号が前記左すだれ状電極B-1および前記右すだれ状電極Biに印加されることにより、前記第２圧電基板に第２および第３弾性表面波がそれぞれ励振され、前記第２および第３弾性表面波は前記中央すだれ状電極B0で一重符号化バースト信号に変換され、前記一重符号化バースト信号が前記中継用すだれ状電極に印加されることにより、前記第２圧電基板に第４弾性表面波が励振され、もしも前記第４弾性表面波が前記第１弾性表面波に対応する場合、復号化パルス（１）が前記出力用すだれ状電極で出力され、前記復号化パルス（１）と非検出パルス（０）から成る出力デジタル信号が前記検出用端子で検出され、前記出力デジタル信号は前記メッセージデジタル信号に対応するデジタル通信用送受信システム。
【請求項２】
前記入力用および出力用すだれ状電極のそれぞれの前記符号パターンが一定の時間ごとに変化する手段を備えた請求項１に記載のデジタル通信用送受信システム。
【請求項３】
前記第２および第３弾性表面波の伝搬方向が、前記第４弾性表面波の伝搬方向と直交するように、前記中継用すだれ状電極と前記出力用すだれ状電極が前記第２電極群に対して配置されている請求項１または２に記載のデジタル通信用送受信システム。
【請求項４】
送信デバイスおよび受信デバイスから成るデジタル通信用送受信システムであって、前記送信デバイスは、入力用端子、第１圧電基板、第１および第２入力用すだれ状電極、第１電極群、包絡線検波器および出力用端子から成り、前記第１および第２入力用すだれ状電極および前記第１電極群は前記第１圧電基板に設けられており、前記第１および第２入力用すだれ状電極はそれぞれ少なくとも３つの電極対Pi (i=1, 2,…, n)から成り、前記電極対Piのうちの隣り合う２つは離間距離Lを有し、前記第１および第２入力用すだれ状電極はそれぞれ別の符号パターンを有し、前記第１電極群はすだれ状電極A0と、前記すだれ状電極A0から距離iL (i=1)だけ離れたすだれ状電極Ai (i=1)から成り、前記受信デバイスは、受信用端子、第２圧電基板、第２電極群、中継用すだれ状電極、第１および第２出力用すだれ状電極および検出用端子から成り、前記第２電極群、前記中継用すだれ状電極および前記第１および第２出力用すだれ状電極は前記第２圧電基板に設けられており、前記第２電極群は中央すだれ状電極B0と、前記中央すだれ状電極B0から距離L0だけ離れた左すだれ状電極B-1と、前記中央すだれ状電極B0から距離L0+iL (i=1)だけ離れた右すだれ状電極Bi (i=1)から成り、前記第１および第２出力用すだれ状電極は前記第１および第２入力用すだれ状電極とはそれぞれ逆の符号パターンを有し、前記第１および第２入力用すだれ状電極に前記入力用端子を介してメッセージデジタル信号のパルス（０および１）がそれぞれ印加されることにより、前記第１圧電基板に第１および第２弾性表面波が励振され、前記第１および第２弾性表面波それぞれに対応する符号化バースト信号が、前記すだれ状電極A0で検出された後、前記距離iLに対応する時間だけ遅延して再びすだれ状電極Aiで検出され、前記すだれ状電極A0での前記符号化バースト信号および前記すだれ状電極Aiでの前記符号化バースト信号の合成出力信号は、前記包絡線検波器で二重符号化デジタル信号に変換され、前記二重符号化デジタル信号は前記出力用端子を介してデジタルネットワーク中に放出され、前記受信用端子を介して前記デジタルネットワーク中から前記二重符号化デジタル信号が前記左すだれ状電極B-1および前記右すだれ状電極Biに印加されることにより、前記第２圧電基板に第３および第４弾性表面波がそれぞれ励振され、前記第３および第４弾性表面波は前記中央すだれ状電極B0で一重符号化バースト信号に変換され、前記一重符号化バースト信号が前記中継用すだれ状電極に印加されることにより、前記第２圧電基板に第５弾性表面波が励振され、もしも前記第５弾性表面波が前記第１および第２弾性表面波それぞれに対応する場合、復号化パルス（０および１）が前記第１および第２出力用すだれ状電極でそれぞれ出力され、前記復号化パルス（０および１）に基づく出力デジタル信号が前記検出用端子で検出され、前記出力デジタル信号は前記メッセージデジタル信号に対応するデジタル通信用送受信システム。
【請求項５】
前記第３および第４弾性表面波の伝搬方向が、前記第５弾性表面波の伝搬方向と直交するように、前記中継用すだれ状電極と前記第１および第２出力用すだれ状電極が前記第２電極群に対して配置されている請求項４に記載のデジタル通信用送受信システム。
【請求項６】
前記第１および第２入力用すだれ状電極のそれぞれの前記符号パターンが一定の時間ごとに変化する手段が備えられているとともに、前記第１および第２出力用すだれ状電極のそれぞれの前記符号パターンが一定の時間ごとに変化する手段が備えられている請求項４または５に記載のデジタル通信用送受信システム。
【請求項７】
前記第１および第２入力用すだれ状電極の代わりに１つの入力用すだれ状電極が備えられ、前記１つの入力用すだれ状電極は２つの符号パターンを有し、それら２つの符号パターンは前記１つの入力用すだれ状電極に印加される前記メッセージデジタル信号のパルス（０および１）に応じて互いに変換される請求項４，５または６に記載のデジタル通信用送受信システム。
【請求項８】
前記第１電極群が少なくとも２つのすだれ状電極Ai {i=1, 2,…, (n-1)}を含むとともに、前記第２電極群が少なくとも２つの右すだれ状電極Bi {i=1, 2,…, (n-1)}を含むデジタル通信用送受信システムであって、前記少なくとも２つのすだれ状電極Aiは前記すだれ状電極A0からそれぞれ距離iL {i=1, 2,…, (n-1)}だけ離れており、前記少なくとも２つの右すだれ状電極Biは前記中央すだれ状電極B0からそれぞれ距離L0+iL {i=1, 2,…, (n-1)}だけ離れており、前記少なくとも２つのすだれ状電極Aiが前記包絡線検波器に順次に接続されるのと同時に、前記少なくとも２つの右すだれ状電極Biが前記受信用端子に順次に接続される請求項１，２，３，４，５，６または７に記載のデジタル通信用送受信システム。
【請求項９】
前記第１圧電基板および前記第２圧電基板が圧電セラミックで成り、前記圧電セラミックの分極軸の方向はその厚さ方向と平行である請求項１，２，３，４，５，６，７または８に記載のデジタル通信用送受信システム。
【発明の詳細な説明】
【０００１】
【発明の属する技術分野】
本発明は、メッセージデジタル信号を符号化してデジタルネットワーク中に送信する送信デバイスと、その符号化されたデジタル信号を受信して復号化する受信デバイスから成るデジタル通信用送受信システムに関する。
【０００２】
【従来の技術】
近年、通信の分野ではデジタル化が進んでいる。中でも、CDMA方式はスペクトラム拡散通信の一種として情報伝達の高速化への対応が可能で有力な方式とされている。このCDMA方式に弾性表面波マッチドフィルタを導入することにより、高速同期に優位性を見出すことができる。従来、この弾性表面波マッチドフィルタを導入したCDMA方式をベースバンドでのデジタル通信システムにおいて実現する場合、符号化した信号がPSKバースト信号の形態を取るということに大きな課題があった。すなわち、バースト信号列の符号化PSK信号をベースバンドのデジタルパルス信号へと高速変換することが必要であった。しかしながら、このことを実現するためには、複雑な回路構成が避けられない状態にあった。
【０００３】
【発明が解決しようとする課題】
本発明の目的は、ベースバンドでのデジタル通信システムを実現することが可能で、そのうえ、送信デバイスが送信するメッセージ信号の秘匿性に優れ、送受信デバイス間の相互認識機能に優れ、メッセージ信号自体を疑似雑音信号として送信することが可能なデジタル通信用送受信システムを提供することにある。
さらに本発明の目的は、デバイス構成が簡便で、小型軽量で、耐久性に優れ、大量生産が可能で、低消費電力駆動が可能なデジタル通信用送受信システムを提供することにある。
【０００４】
【課題を解決するための手段】
請求項１に記載のデジタル通信用送受信システムは、送信デバイスおよび受信デバイスから成るデジタル通信用送受信システムであって、前記送信デバイスは、入力用端子、第１圧電基板、入力用すだれ状電極、第１電極群、包絡線検波器および出力用端子から成り、前記入力用すだれ状電極および前記第１電極群は前記第１圧電基板に設けられており、前記入力用すだれ状電極は、少なくとも３つの電極対Pi (i=1, 2,…, n)から成り、一定の符号パターンを有し、前記電極対Piのうちの隣り合う２つは離間距離Lを有し、前記第１電極群はすだれ状電極A0と、前記すだれ状電極A0から距離iL (i=1)だけ離れたすだれ状電極Ai (i=1)から成り、前記受信デバイスは、受信用端子、第２圧電基板、第２電極群、中継用すだれ状電極、出力用すだれ状電極および検出用端子から成り、前記第２電極群、前記中継用すだれ状電極および前記出力用すだれ状電極は前記第２圧電基板に設けられており、前記第２電極群は中央すだれ状電極B0と、前記中央すだれ状電極B0から距離L0だけ離れた左すだれ状電極B-1と、前記中央すだれ状電極B0から距離L0+iL (i=1)だけ離れた右すだれ状電極Bi (i=1)から成り、前記出力用すだれ状電極は前記入力用すだれ状電極とは逆の符号パターンを有し、前記入力用すだれ状電極に前記入力用端子を介してメッセージデジタル信号のパルス（１）が印加されることにより、前記第１圧電基板に第１弾性表面波が励振され、前記第１弾性表面波に対応する符号化バースト信号が、前記すだれ状電極A0で検出された後、距離iLに対応する時間だけ遅延して再び前記すだれ状電極Aiで検出され、前記すだれ状電極A0での前記符号化バースト信号および前記すだれ状電極Aiでの前記符号化バースト信号の合成出力信号は、前記包絡線検波器で二重符号化デジタル信号に変換され、前記二重符号化デジタル信号は前記出力用端子を介してデジタルネットワーク中に放出され、前記受信用端子を介して前記デジタルネットワーク中から前記二重符号化デジタル信号が前記左すだれ状電極B-1および前記右すだれ状電極Biに印加されることにより、前記第２圧電基板に第２および第３弾性表面波がそれぞれ励振され、前記第２および第３弾性表面波は前記中央すだれ状電極B0で一重符号化バースト信号に変換され、前記一重符号化バースト信号が前記中継用すだれ状電極に印加されることにより、前記第２圧電基板に第４弾性表面波が励振され、もしも前記第４弾性表面波が前記第１弾性表面波に対応する場合、復号化パルス（１）が前記出力用すだれ状電極で出力され、前記復号化パルス（１）と非検出パルス（０）から成る出力デジタル信号が前記検出用端子で検出され、前記出力デジタル信号は前記メッセージデジタル信号に対応する。
【０００５】
請求項２に記載のデジタル通信用送受信システムでは、請求項１に記載のデジタル通信用送受信システムにおける前記入力用および出力用すだれ状電極のそれぞれの前記符号パターンが一定の時間ごとに変化する手段を備えている。
【０００６】
請求項３に記載のデジタル通信用送受信システムでは、請求項１に記載のデジタル通信用送受信システムにおける前記第２および第３弾性表面波の伝搬方向が前記第４弾性表面波の伝搬方向と直交するように、前記中継用すだれ状電極と前記出力用すだれ状電極が前記第２電極群に対して配置されている。
【０００７】
請求項４に記載のデジタル通信用送受信システムは、送信デバイスおよび受信デバイスから成るデジタル通信用送受信システムであって、前記送信デバイスは、入力用端子、第１圧電基板、第１および第２入力用すだれ状電極、第１電極群、包絡線検波器および出力用端子から成り、前記第１および第２入力用すだれ状電極および前記第１電極群は前記第１圧電基板に設けられており、前記第１および第２入力用すだれ状電極はそれぞれ少なくとも３つの電極対Pi (i=1, 2,…, n)から成り、前記電極対Piのうちの隣り合う２つは離間距離Lを有し、前記第１および第２入力用すだれ状電極はそれぞれ別の符号パターンを有し、前記第１電極群はすだれ状電極A0と、前記すだれ状電極A0から距離iL (i=1)だけ離れたすだれ状電極Ai (i=1)から成り、前記受信デバイスは、受信用端子、第２圧電基板、第２電極群、中継用すだれ状電極、第１および第２出力用すだれ状電極および検出用端子から成り、前記第２電極群、前記中継用すだれ状電極および前記第１および第２出力用すだれ状電極は前記第２圧電基板に設けられており、前記第２電極群は中央すだれ状電極B0と、前記中央すだれ状電極B0から距離L0だけ離れた左すだれ状電極B-1と、前記中央すだれ状電極B0から距離L0+iL (i=1)だけ離れた右すだれ状電極Bi (i=1)から成り、前記第１および第２出力用すだれ状電極は前記第１および第２入力用すだれ状電極とはそれぞれ逆の符号パターンを有し、前記第１および第２入力用すだれ状電極に前記入力用端子を介してメッセージデジタル信号のパルス（０および１）がそれぞれ印加されることにより、前記第１圧電基板に第１および第２弾性表面波が励振され、前記第１および第２弾性表面波それぞれに対応する符号化バースト信号が、前記すだれ状電極A0で検出された後、前記距離iLに対応する時間だけ遅延して再びすだれ状電極Aiで検出され、前記すだれ状電極A0での前記符号化バースト信号および前記すだれ状電極Aiでの前記符号化バースト信号の合成出力信号は、前記包絡線検波器で二重符号化デジタル信号に変換され、前記二重符号化デジタル信号は前記出力用端子を介してデジタルネットワーク中に放出され、前記受信用端子を介して前記デジタルネットワーク中から前記二重符号化デジタル信号が前記左すだれ状電極B-1および前記右すだれ状電極Biに印加されることにより、前記第２圧電基板に第３および第４弾性表面波がそれぞれ励振され、前記第３および第４弾性表面波は前記中央すだれ状電極B0で一重符号化バースト信号に変換され、前記一重符号化バースト信号が前記中継用すだれ状電極に印加されることにより、前記第２圧電基板に第５弾性表面波が励振され、もしも前記第５弾性表面波が前記第１および第２弾性表面波それぞれに対応する場合、復号化パルス（０および１）が前記第１および第２出力用すだれ状電極でそれぞれ出力され、前記復号化パルス（０および１）に基づく出力デジタル信号が前記検出用端子で検出され、前記出力デジタル信号は前記メッセージデジタル信号に対応する。
【０００８】
請求項５に記載のデジタル通信用送受信システムでは、請求項５に記載のデジタル通信用送受信システムにおける前記第３および第４弾性表面波の伝搬方向が前記第５弾性表面波の伝搬方向と直交するように、前記中継用すだれ状電極と前記第１および第２出力用すだれ状電極が前記第２電極群に対して配置されている。
【０００９】
請求項６に記載のデジタル通信用送受信システムでは、請求項５に記載のデジタル通信用送受信システムにおける前記第１および第２入力用すだれ状電極のそれぞれの前記符号パターンが一定の時間ごとに変化する手段が備えられているとともに、前記第１および第２出力用すだれ状電極のそれぞれの前記符号パターンが一定の時間ごとに変化する手段が備えられている。
【００１０】
請求項７に記載のデジタル通信用送受信システムでは、請求項５に記載のデジタル通信用送受信システムにおける前記第１および第２入力用すだれ状電極の代わりに１つの入力用すだれ状電極が備えられ、前記１つの入力用すだれ状電極は２つの符号パターンを有し、それら２つの符号パターンは前記１つの入力用すだれ状電極に印加される前記メッセージデジタル信号のパルス（０および１）に応じて互いに変換される。
【００１１】
請求項８に記載のデジタル通信用送受信システムは、請求項５に記載のデジタル通信用送受信システムにおける前記第１電極群が少なくとも２つのすだれ状電極Ai {i=1, 2,…, (n-1)}を含むとともに、前記第２電極群が少なくとも２つの右すだれ状電極Bi {i=1, 2,…, (n-1)}を含むデジタル通信用送受信システムであって、前記少なくとも２つのすだれ状電極Aiは前記すだれ状電極A0からそれぞれ距離iL {i=1, 2,…, (n-1)}だけ離れており、前記少なくとも２つの右すだれ状電極Biは前記中央すだれ状電極B0からそれぞれ距離L0+iL {i=1, 2,…, (n-1)}だけ離れており、前記少なくとも２つのすだれ状電極Aiが前記包絡線検波器に順次に接続されるのと同時に、前記少なくとも２つの右すだれ状電極Biが前記受信用端子に順次に接続される。
【００１２】
請求項９に記載のデジタル通信用送受信システムでは、前記第１圧電基板および前記第２圧電基板が圧電セラミックで成り、前記圧電セラミックの分極軸の方向はその厚さ方向と平行である。
【００１３】
【発明の実施の形態】
本発明のデジタル通信用送受信システムは、送信デバイスおよび受信デバイスから成る。送信デバイスは、入力用端子、第１圧電基板、入力用すだれ状電極、第１電極群、包絡線検波器および出力用端子から成る。入力用すだれ状電極および第１電極群は第１圧電基板に設けられている。入力用すだれ状電極は、少なくとも３つの電極対Pi (i=1, 2,…, n)から成り、一定の符号パターンを有しており、電極対Piのうちの隣り合う２つは離間距離Lを有している。第１電極群はすだれ状電極A0と、すだれ状電極A0から距離iL (i=1)だけ離れたすだれ状電極Ai (i=1)から成る。受信デバイスは、受信用端子、第２圧電基板、第２電極群、中継用すだれ状電極、出力用すだれ状電極および検出用端子から成る。第２電極群、中継用すだれ状電極および出力用すだれ状電極は第２圧電基板に設けられている。第２電極群は中央すだれ状電極B0と、中央すだれ状電極B0から距離L0だけ離れた左すだれ状電極B-1と、中央すだれ状電極B0から距離L0+iL (i=1)だけ離れた右すだれ状電極Bi (i=1)から成る。出力用すだれ状電極は入力用すだれ状電極とは逆の符号パターンを有している。このようにして、本発明のデジタル通信用送受信システムは小型軽量で、デバイス構成が簡便で、回路構成も簡便にできる。従って、大量生産が可能である。また、耐久性に優れていることから使用頻度の多さにも対応しうる。
【００１４】
もしも、入力用すだれ状電極に入力用端子を介してメッセージデジタル信号のパルス（１）が印加されると、第１圧電基板に第１弾性表面波が励振される。この第１弾性表面波は、符号化バースト信号としてすだれ状電極A0で検出された後、距離iLに対応する時間だけ遅延してすだれ状電極Aiで再び検出される。すだれ状電極A0での符号化バースト信号およびすだれ状電極Aiでの符号化バースト信号の合成出力信号は、包絡線検波器を介して二重符号化デジタル信号に変換される。このようにして、二重符号化デジタル信号が出力用端子を介してデジタルネットワーク中に放出される。一方、デジタルネットワーク中から受信用端子を介して左すだれ状電極B-1および右すだれ状電極Biに二重符号化デジタル信号が印加されると、第２圧電基板に第２および第３弾性表面波がそれぞれ励振される。第２および第３弾性表面波は中央すだれ状電極B0で一重符号化バースト信号に変換される。一重符号化バースト信号が中継用すだれ状電極に印加されると、第２圧電基板に第４弾性表面波が励振される。このとき、もしも第４弾性表面波が第１弾性表面波に対応する場合、復号化パルス（１）が出力用すだれ状電極で出力される。つまり、出力用すだれ状電極は弾性表面波マッチドフィルタとしての能力を有する。このようにして、検出用端子では、復号化パルス（１）と非検出パルス（０）から成る出力デジタル信号が検出される。この出力デジタル信号はメッセージデジタル信号に対応している。このようにして、本発明のデジタル通信用送受信システムではベースバンドでのデジタル通信システムを実現することが可能である。そのうえ、送信するメッセージデジタル信号の秘匿性に優れ、送受信デバイス間の相互認識機能にも優れており、メッセージデジタル信号自体を疑似雑音信号として送信することが可能である。また、低消費電力駆動が可能である。本発明のデジタル通信用送受信システムが弾性表面波マッチドフィルタを取り入れていることの利点は、実時間同期が可能であること、そして、簡易通信システムの構築が可能なことである。また、本発明のデジタル通信用送受信システムでは、第２および第３弾性表面波の伝搬方向が第４弾性表面波の伝搬方向と直交するように、中継用すだれ状電極と出力用すだれ状電極が第２電極群に対して配置された構造が可能である。第２圧電基板として圧電セラミック板を採用する場合等にはこのような構造を採用することが可能である。
【００１５】
本発明のデジタル通信用送受信システムでは、入力用および出力用すだれ状電極のそれぞれの符号パターンが一定の時間ごとに変化する手段を備えた構造が可能である。このような構造を採用することにより、送信するメッセージデジタル信号の秘匿性をさらに向上させることができる。
【００１６】
本発明のデジタル通信用送受信システムでは、入力用すだれ状電極の代わりに第１および第２入力用すだれ状電極を用い、出力用すだれ状電極の代わりに第１および第２出力用すだれ状電極を用いる構造が可能である。この場合、第１および第２入力用すだれ状電極は、それぞれ少なくとも３つの電極対Pi (i=1, 2,…, n)から成り、電極対Piのうちの隣り合う２つは離間距離Lを有する。また、第１および第２入力用すだれ状電極はそれぞれ別の符号パターンを有する。第１および第２出力用すだれ状電極は第１および第２入力用すだれ状電極とはそれぞれ逆の符号パターンを有する。
【００１７】
もしも、メッセージデジタル信号のパルス（０および１）が入力用端子を介して第１および第２入力用すだれ状電極にそれぞれ印加されると、第１圧電基板に第１および第２弾性表面波がそれぞれ励振される。第１および第２弾性表面波はそれぞれに対応する符号化バースト信号としてすだれ状電極A0で検出される。さらに、その符号化バースト信号は距離iLに対応する時間だけ遅延してすだれ状電極Aiで再び検出される。すだれ状電極A0での符号化バースト信号およびすだれ状電極Aiでの符号化バースト信号の合成出力信号は、包絡線検波器を介して二重符号化デジタル信号に変換される。このようにして、二重符号化デジタル信号が出力用端子を介してデジタルネットワーク中に放出される。一方、デジタルネットワーク中から受信用端子を介して左すだれ状電極B-1および右すだれ状電極Biに二重符号化デジタル信号が印加されると、第２圧電基板に第３および第４弾性表面波がそれぞれ励振される。第３および第４弾性表面波は中央すだれ状電極B0で一重符号化バースト信号に変換される。一重符号化バースト信号が中継用すだれ状電極に印加されると、第２圧電基板に第５弾性表面波が励振される。このとき、もしも第５弾性表面波が第１および第２弾性表面波にそれぞれ対応する場合、復号化パルス（０および１）が第１および第２出力用すだれ状電極によってそれぞれ出力される。このようにして、検出用端子では復号化パルス（０および１）に基づく出力デジタル信号が検出される。この出力デジタル信号はメッセージデジタル信号に対応している。なお、本発明のデジタル通信用送受信システムでは、第３および第４弾性表面波の伝搬方向が第５弾性表面波の伝搬方向と直交するように、中継用すだれ状電極と第１および第２出力用すだれ状電極が第２電極群に対して配置された構造が可能である。
【００１８】
本発明のデジタル通信用送受信システムでは、第１および第２入力用すだれ状電極それぞれの符号パターンが一定の時間ごとに変化する手段を備えると同時に、第１および第２出力用すだれ状電極それぞれの符号パターンが一定の時間ごとに変化する手段を備えた構造が可能である。このような構造を採用することにより、送信するメッセージデジタル信号の秘匿性をさらに向上させることができる。
【００１９】
本発明のデジタル通信用送受信システムでは、第１および第２入力用すだれ状電極の代わりに１つの入力用すだれ状電極が備えられ、その１つの入力用すだれ状電極は２つの符号パターンを有し、それら２つの符号パターンは印加されるメッセージデジタル信号のパルス（０および１）に応じて互いに変換される構造が可能である。
【００２０】
本発明のデジタル通信用送受信システムでは、第１電極群が少なくとも２つのすだれ状電極Ai {i=1, 2,…, (n-1)}を含むとともに、第２電極群が少なくとも２つの右すだれ状電極Bi {i=1, 2,…, (n-1)}を含む構造が可能である。この場合、少なくとも２つのすだれ状電極Aiはすだれ状電極A0からそれぞれ距離iL {i=1, 2,…, (n-1)}だけ離れており、また、少なくとも２つの右すだれ状電極Biは中央すだれ状電極B0からそれぞれ距離L0+iL {i=1, 2,…, (n-1)}だけ離れている。さらに、少なくとも２つのすだれ状電極Aiは包絡線検波器に順次に接続され、同時に、少なくとも２つの右すだれ状電極Biは受信用端子に順次に接続される。このような構造を採用することにより、送信するメッセージデジタル信号の秘匿性をさらに向上させることができる。
【００２１】
本発明のデジタル通信用送受信システムでは、第１および第２圧電基板が圧電セラミックで成り、その圧電セラミックの分極軸の方向が厚さ方向と平行である構造が可能である。このような構造を採用することにより、電気信号および弾性表面波の相互の変換効率を向上させることができる。
【００２２】
【実施例】
図１は、本発明のデジタル通信用送受信システムに含まれる送信デバイスの第１の実施例を示す構成図である。本実施例は入力用端子１、第１圧電基板２、入力用すだれ状電極３、すだれ状電極A0およびA1から成る第１電極群４、包絡線検波器５および出力用端子６から成る。第１圧電基板２は厚さ２００μｍの圧電セラミック薄板で成り、その分極軸の方向は厚さ方向と平行である。入力用すだれ状電極３および第１電極群４はアルミニウム薄膜で成り、第１圧電基板２に設けられている。すだれ状電極A0およびA1はそれぞれ４０μｍの電極周期長を有する。
【００２３】
図２は入力用すだれ状電極３の平面図である。入力用すだれ状電極３は７つの電極対Pi (i=1, 2,…, 7)から成り、電極対Piのうちの隣り合う２つは離間距離Lを有している。図１におけるすだれ状電極A0およびA1の離間距離もまたLに等しい。さらに、それぞれの電極対Piは４０μｍの電極周期長を有する。入力用すだれ状電極３はバーカーコードに基づく一定の符号パターンを有する。図２で示されるような７デジットコード（１，１，１，０，０，１，０）の他に、たとえば３デジットコード（１，１，０）や１１デジットコード（１，１，１，０，０，０，１，０，０，１，０）が利用できる。
【００２４】
図３は、本発明のデジタル通信用送受信システムに含まれる受信デバイスの第１の実施例を示す構成図である。本実施例は受信用端子７、第２圧電基板８、第２電極群９、中継用すだれ状電極１０、出力用すだれ状電極１１および検出用端子１２から成る。第２電極群９は中央すだれ状電極B0と、中央すだれ状電極B0から距離L0だけ離れた左すだれ状電極B-1と、中央すだれ状電極B0から距離L0+L だけ離れた右すだれ状電極B1から成る。出力用すだれ状電極１１は入力用すだれ状電極３とは逆の符号パターンを有している。第２圧電基板８は厚さ２００μｍの圧電セラミック薄板で成り、その分極軸の方向は厚さ方向と平行である。第２電極群９、中継用すだれ状電極１０および出力用すだれ状電極１１はアルミニウム薄膜で成り、第２圧電基板８に設けられている。中央すだれ状電極B0、左すだれ状電極B-1、右すだれ状電極B1、中継用すだれ状電極１０はそれぞれ４０μｍの電極周期長を有する。出力用すだれ状電極１１の７つの電極対もまた４０μｍの電極周期長を有する。
【００２５】
図１の送信デバイスおよび図３の受信デバイスから成るデジタル通信用送受信システムにおいて、もしもメッセージデジタル信号が入力用端子１に印加されると、メッセージデジタル信号のパルス（０および１）のうちパルス（１）のみが入力用すだれ状電極３に到達する。これは、パルス（０）はどんなすだれ状電極によっても検出することが不可能であることに因る。たとえば、パルス（１，１，０，１，０および１）から成るメッセージデジタル信号が入力用端子１に印加されると、入力用すだれ状電極３には第１のパルス（１）、続いて第２のパルス（１）が到達し、少し後に第３のパルス（１）、そして少し後に第４のパルス（１）が順次到達する。入力用すだれ状電極３にパルス（１）が到達すると、入力用すだれ状電極３の符号パターンに対応する第１弾性表面波が第１圧電基板２に励振される。入力用すだれ状電極３が７つの電極対を有することから、第１弾性表面波は符号化バースト信号として、すなわち７つのバーストから成る符号化列としてすだれ状電極A0で検出される。その後、符号化バースト信号は距離Lに対応する時間だけ遅延してすだれ状電極A1で再び検出される。すだれ状電極A0での符号化バースト信号およびすだれ状電極A1での符号化バースト信号の合成出力信号は、包絡線検波器５を介して二重符号化デジタル信号、すなわちデジタルパルスの二重符号化列に変換される。このとき、各デジタルパルスはすだれ状電極A0での１つのバーストと、すだれ状電極A1での１つ前のバーストから成る。たとえば、３番目のデジタルパルスはすだれ状電極A0での３番目のバーストと、すだれ状電極A1での２番目のバーストから成る。このようにして、全部で８つのデジタルパルスを含む二重符号化デジタル信号は出力用端子６を介してデジタルネットワーク中に放出される。結果として、メッセージデジタル信号を二重符号化デジタル信号として送信することが可能となる。
【００２６】
一方、左すだれ状電極B-1および右すだれ状電極B1が受信用端子７を介してデジタルネットワーク中から二重符号化デジタル信号を受信すると、第２圧電基板８には第２および第３弾性表面波がそれぞれ励振される。第２弾性表面波は中央すだれ状電極B0に到達し、その後距離Lに対応する時間だけ遅延してから第３弾性表面波が中央すだれ状電極B0に到達する。このとき、第２および第３弾性表面波は両方とも８つのバースト波の列から成り、各バースト波は二重符号化列の各デジタルパルスに対応する。従って、第２弾性表面波の１つのバースト波と第３弾性表面波の１つ前のバースト波が中央すだれ状電極B0に同時に到達することになる。このようにして、復号の第１段階が成し遂げられる。結果として、二重符号化デジタル信号は中央すだれ状電極B0で一重符号化バースト信号に変換される。この一重符号化バースト信号が中継用すだれ状電極１０に印加されると、第４弾性表面波が第２圧電基板８に励振される。このとき、もしも第４弾性表面波が第１弾性表面波に対応すれば、復号化パルス（１）が出力用すだれ状電極１１で検出される。この復号化パルス（１）はメッセージデジタル信号のパルス（１）に対応する。つまり、出力用すだれ状電極１１は弾性表面波マッチドフィルタとしての能力を有する。このようにして、復号の第２段階が成し遂げられる。結果として、一重符号化バースト信号は復号化パルス（１）に変換される。検出用端子１２では、復号化パルス（１）と非検出パルス（０）から成る出力デジタル信号が検出される。このとき、この出力デジタル信号はメッセージデジタル信号に対応するものである。
【００２７】
図４は入力用すだれ状電極３の代わりに用いられるもう一つの入力用すだれ状電極１３の部分平面図である。入力用すだれ状電極１３は７つの電極対から成り、各電極対の電極周期長は４０μｍである。入力用すだれ状電極１３は一定の符号パターンを有し、その符号パターンは一定の時間ごとにスイッチ１４によって変化する。同時に、図３の出力用すだれ状電極１１もまた入力用すだれ状電極１３の符号パターンとともに変化する。このような符号パターンの変化はベースバンドでのデジタル通信の秘匿性をさらに高める。
【００２８】
図３の受信デバイスでは第２および第３弾性表面波の伝搬方向が第４弾性表面波の伝搬方向と平行である。しかしながら、第２および第３弾性表面波の伝搬方向が第４弾性表面波の伝搬方向と直交するように、中継用すだれ状電極１０と出力用すだれ状電極１１が第２電極群９に対して配置された構造が可能である。
【００２９】
図５は、本発明のデジタル通信用送受信システムに含まれる送信デバイスの第２の実施例を示す構成図である。本実施例は、スイッチ１５、すだれ状電極A2およびA3が新たに設けられることを除いて図１と同様な構造を有する。すだれ状電極A2およびA3は第１電極群４に含まれ、それぞれ４０μｍの電極周期長を有する。すだれ状電極A1とA2の離間距離およびすだれ状電極A2とA3の離間距離はともにLである。
【００３０】
図６は、本発明のデジタル通信用送受信システムに含まれる受信デバイスの第２の実施例を示す構成図である。本実施例は、スイッチ１６、右すだれ状電極B2およびB3が新たに設けられることを除いて図３と同様な構造を有する。右すだれ状電極B2およびB3は第２電極群９に含まれ、それぞれ４０μｍの電極周期長を有する。中央すだれ状電極B0と右すだれ状電極B2との離間距離はL0+2Lであり、中央すだれ状電極B0と右すだれ状電極B3の離間距離はL0+3Lである。
【００３１】
図５の送信デバイスおよび図６の受信デバイスから成るデジタル通信用送受信システムにおいて、もしもメッセージデジタル信号が入力用端子１に印加されると、メッセージデジタル信号のパルス（１）が入力用すだれ状電極３に到達し、入力用すだれ状電極３の符号パターンに対応する第１弾性表面波が第１圧電基板２に励振される。第１弾性表面波は符号化バースト信号として、すなわち７つのバーストから成る符号化列としてすだれ状電極A0で検出され、包絡線検波器５に到達する。また、すだれ状電極A1，A2およびA3のうちの１つがスイッチ１５により包絡線検波器５に接続されていることから、符号化バースト信号は、すだれ状電極A0で検出された後、距離L，2Lまたは3Lに対応する時間だけ遅延してからすだれ状電極A1，A2またはA3で検出されて、包絡線検波器５に到達する。すだれ状電極A0での符号化バースト信号と、すだれ状電極A1，A2またはA3における符号化バースト信号の合成出力信号は包絡線検波器５で、二重符号化デジタル信号、すなわちデジタルパルスの二重符号化列に変換される。各デジタルパルスはすだれ状電極A0でのn番目のバーストと、すだれ状電極A1での(n-1)番目のバーストかすだれ状電極A2での(n-2)番目のバーストかすだれ状電極A3での(n-3)番目のバーストで成る。たとえば、すだれ状電極A3と包絡線検波器５が接続されている場合の6番目のデジタルパルスは、すだれ状電極A0での6番目のバーストとすだれ状電極A3での3番目のバーストから成る。このようにして、８，９または１０個のデジタルパルスを含む二重符号化デジタル信号が出力用端子６を介してデジタルネットワーク中に放出される。
【００３２】
一方、二重符号化デジタル信号が受信用端子７によってデジタルネットワーク中から受信されると、二重符号化デジタル信号は左すだれ状電極B-1に到達するとともに、スイッチ１６によって受信用端子７と接続された右すだれ状電極B1、B2およびB3のうちの１つに到達する。このとき、第２圧電基板８には、第２弾性表面波が左すだれ状電極B-1で、第３弾性表面波が右すだれ状電極B1、B2およびB3のうちの１つで励振される。第２弾性表面波は中央すだれ状電極B0に到達し、その後距離L，2Lまたは3Lに対応する時間だけ遅延してから第３弾性表面波が右すだれ状電極B1、B2またはB3から中央すだれ状電極B0に到達する。第２および第３弾性表面波は両方とも８，９または１０個のバースト波の列から成り、各バースト波は二重符号化列の各デジタルパルスに対応する。従って、第２弾性表面波のn番目のバースト波が中央すだれ状電極B0に到達するのと同時に、第３弾性表面波の(n-1)番目、(n-2)番目または(n-3)番目のバースト波が右すだれ状電極B1、B2またはB3から中央すだれ状電極B0に到達することになる。たとえば、第２弾性表面波の4番目のバースト波が中央すだれ状電極B0に到達するのと同時に、右すだれ状電極B2における第３弾性表面波の2番目のバースト波が中央すだれ状電極B0に到達する。このようにして、復号の第１段階が成し遂げられる。結果として、二重符号化デジタル信号は中央すだれ状電極B0で一重符号化バースト信号に変換される。この一重符号化バースト信号が中継用すだれ状電極１０に印加されると、第４弾性表面波が第２圧電基板８に励振される。このとき、もしも第４弾性表面波が第１弾性表面波に対応すれば、復号化パルス（１）が出力用すだれ状電極１１で検出される。この復号化パルス（１）はメッセージデジタル信号のパルス（１）に対応する。このようにして、復号の第２段階が成し遂げられる。結果として、一重符号化バースト信号は復号化パルス（１）に変換される。検出用端子１２では、復号化パルス（１）と非検出パルス（０）から成る出力デジタル信号が検出される。このとき、この出力デジタル信号はメッセージデジタル信号に対応するものである。
【００３３】
図７は、本発明のデジタル通信用送受信システムに含まれる送信デバイスの第３の実施例を示す構成図である。本実施例は、図１の構造に新たにパルス発生器１７が加わるとともに、入力用すだれ状電極３の代わりに第１入力用すだれ状電極１８と第２入力用すだれ状電極１９が用いられたものである。第１入力用すだれ状電極１８は７つの電極対を有し、図２に示されている符号パターンと同様な構造を有する。第２入力用すだれ状電極１９は７つの電極対を有し、第１入力用すだれ状電極１８とは別の符号パターンを有する。
【００３４】
図８は、本発明のデジタル通信用送受信システムに含まれる受信デバイスの第３の実施例を示す構成図である。本実施例は、図３の構造に新たにパルス発生器２０と検出器２１が加わるとともに、出力用すだれ状電極１１の代わりに第１出力用すだれ状電極２２と第２出力用すだれ状電極２３が用いられたものである。第１出力用すだれ状電極２２および第２出力用すだれ状電極２３はともの７つの電極対から成り、それら電極対のうちの隣り合う２つは離間距離Lを有している。第１出力用すだれ状電極２２は第１入力用すだれ状電極１８と逆の符号パターンを有し、第２出力用すだれ状電極２３は第２入力用すだれ状電極１９と逆の符号パターンを有する。
【００３５】
図７の送信デバイスおよび図８の受信デバイスから成るデジタル通信用送受信システムにおいて、もしもメッセージデジタル信号が入力用端子１を介してパルス発生器１７に印加されると、メッセージデジタル信号のパルス（０および１）にそれぞれ対応する第１および第２タイミングパルスが発生する。メッセージデジタル信号のパルス（０）は本質的にどんなすだれ状電極によっても検出されないことから、パルス発生器１７が必要とされるのである。第１および第２タイミングパルスがそれぞれ第１入力用すだれ状電極１８および第２入力用すだれ状電極１９に印加されると、第１入力用すだれ状電極１８および第２入力用すだれ状電極１９それぞれの符号パターンに対応する第１および第２弾性表面波が第１圧電基板２に励振される。第１弾性表面波は第１符号化バースト信号としてすだれ状電極A0で検出され、その後、距離Lに対応する時間だけ遅延してからすだれ状電極A1で検出される。すだれ状電極A0およびA1での第１符号化バースト信号の合成出力信号は、包絡線検波器５で第１二重符号化デジタル信号に変換される。同様にして、第２弾性表面波は第２符号化バースト信号としてすだれ状電極A0で検出され、その後、距離Lに対応する時間だけ遅延してからすだれ状電極A1で検出される。すだれ状電極A0およびA1での第２符号化バースト信号の合成出力信号は、包絡線検波器５で第２二重符号化デジタル信号に変換される。このようにして、第１および第２二重符号化デジタル信号は出力用端子６を介してデジタルネットワーク中に放出される。
【００３６】
一方、左すだれ状電極B-1および右すだれ状電極B1が受信用端子７を介してデジタルネットワーク中から第１二重符号化デジタル信号を受信すると、第２圧電基板８には第３および第４弾性表面波がそれぞれ励振される。第３および第４弾性表面波は中央すだれ状電極B0で第１の一重符号化バースト信号に変換される。同様にして、左すだれ状電極B-1および右すだれ状電極B1が受信用端子７を介してデジタルネットワーク中から第２二重符号化デジタル信号を受信すると、第２圧電基板８には第３および第４弾性表面波がそれぞれ励振され、この第３および第４弾性表面波は中央すだれ状電極B0で第２の一重符号化バースト信号に変換される。このようにして、復号の第１段階が成し遂げられる。結果として、第１および第２二重符号化デジタル信号は中央すだれ状電極B0でそれぞれ第１および第２の一重符号化バースト信号に変換される。第１の一重符号化バースト信号がパルス発生器２０に印加されると、第３および第４タイミングパルスが発生する。同様にして、第２の一重符号化バースト信号がパルス発生器２０に印加されると、第３および第４タイミングパルスが発生する。このような第３および第４タイミングパルスが中継用すだれ状電極１０に印加されると、第５弾性表面波が第２圧電基板８に励振される。このとき、もしも第５弾性表面波が第１弾性表面波に対応すれば、復号化パルス（０）が第１出力用すだれ状電極２２で検出される。この復号化パルス（０）はメッセージデジタル信号のパルス（０）に対応する。また、もしも第５弾性表面波が第２弾性表面波に対応すれば、復号化パルス（１）が第２出力用すだれ状電極２３で検出される。この復号化パルス（１）はメッセージデジタル信号のパルス（１）に対応する。このようにして、復号の第２段階が成し遂げられる。結果として、第１および第２の一重符号化バースト信号は、第１出力用すだれ状電極２２および第２出力用すだれ状電極２３でそれぞれ復号化パルス（０および１）に変換される。復号化パルス（０および１）は検出器２１に到達し、検出用端子１２を介して出力デジタル信号として検出される。このとき、この出力デジタル信号はメッセージデジタル信号に対応するものである。
【００３７】
図９は、本発明のデジタル通信用送受信システムに含まれる送信デバイスの第４の実施例を示す構成図である。本実施例は、スイッチ１５、すだれ状電極A2およびA3が新たに設けられることを除いて図７と同様な構造を有する。
【００３８】
図１０は、本発明のデジタル通信用送受信システムに含まれる受信デバイスの第４の実施例を示す構成図である。本実施例は、スイッチ１６、右すだれ状電極B2およびB3が新たに設けられることを除いて図８と同様な構造を有する。
【００３９】
図９の送信デバイスおよび図１０の受信デバイスから成るデジタル通信用送受信システムにおいて、もしもメッセージデジタル信号が入力用端子１を介してパルス発生器１７に印加されると、メッセージデジタル信号のパルス（０および１）にそれぞれ対応する第１および第２タイミングパルスが発生する。第１および第２タイミングパルスがそれぞれ第１入力用すだれ状電極１８および第２入力用すだれ状電極１９に印加されると、第１入力用すだれ状電極１８および第２入力用すだれ状電極１９それぞれの符号パターンに対応する第１および第２弾性表面波が第１圧電基板２に励振される。すだれ状電極A1，A2およびA3のうちの１つがスイッチ１５により包絡線検波器５と接続されていることから、第１弾性表面波は、第１符号化バースト信号としてすだれ状電極A0で検出された後、距離L，2Lまたは3Lに対応する時間だけ遅延してからすだれ状電極A1，A2またはA3で検出され、包絡線検波器５で第１二重符号化デジタル信号に変換される。同様にして、第２弾性表面波は第２符号化バースト信号としてすだれ状電極A0で検出された後、距離L，2Lまたは3Lに対応する時間だけ遅延してからすだれ状電極A1，A2またはA3で検出され、包絡線検波器５で第２二重符号化デジタル信号に変換される。このようにして、第１および第２二重符号化デジタル信号は出力用端子６を介してデジタルネットワーク中に放出される。
【００４０】
一方、受信用端子７がデジタルネットワーク中から第１二重符号化デジタル信号を受信すると、第１二重符号化デジタル信号は、左すだれ状電極B-1に到達し、同時に、スイッチ１６によって受信用端子７に接続された右すだれ状電極B1、B2およびB3のうちの１つに到達する。このとき、第２圧電基板８には左すだれ状電極B-1と、右すだれ状電極B1、B2およびB3のうちの１つにおいて第３および第４弾性表面波がそれぞれ励振される。第３および第４弾性表面波は中央すだれ状電極B0で第１の一重符号化バースト信号に変換される。同様にして、受信用端子７がデジタルネットワーク中から第２二重符号化デジタル信号を受信すると、第２二重符号化デジタル信号は、左すだれ状電極B-1に到達し、同時に、スイッチ１６によって受信用端子７に接続された右すだれ状電極B1、B2およびB3のうちの１つに到達する。このとき、第２圧電基板８には左すだれ状電極B-1と、右すだれ状電極B1、B2およびB3のうちの１つにおいて第３および第４弾性表面波がそれぞれ励振される。第３および第４弾性表面波は中央すだれ状電極B0で第２の一重符号化バースト信号に変換される。このようにして、復号の第１段階が成し遂げられる。第１の一重符号化バースト信号がパルス発生器２０に印加されると、第３および第４タイミングパルスが発生する。同様にして、第２の一重符号化バースト信号がパルス発生器２０に印加されると、第３および第４タイミングパルスが発生する。このような第３および第４タイミングパルスが中継用すだれ状電極１０に印加されると、第５弾性表面波が第２圧電基板８に励振される。このとき、もしも第５弾性表面波が第１弾性表面波に対応すれば、復号化パルス（０）が第１出力用すだれ状電極２２で検出される。この復号化パルス（０）はメッセージデジタル信号のパルス（０）に対応する。また、もしも第５弾性表面波が第２弾性表面波に対応すれば、復号化パルス（１）が第２出力用すだれ状電極２３で検出される。この復号化パルス（１）はメッセージデジタル信号のパルス（１）に対応する。このようにして、復号の第２段階が成し遂げられる。復号化パルス（０および１）は検出器２１に到達し、出力デジタル信号として検出用端子１２を介して検出される。このとき、この出力デジタル信号はメッセージデジタル信号に対応するものである。
【００４１】
図１１は、本発明のデジタル通信用送受信システムに含まれる送信デバイスの第５の実施例を示す構成図である。本実施例は図９の第１入力用すだれ状電極１８および第２入力用すだれ状電極１９の代わりに入力用すだれ状電極２４が設けられたｍのである。入力用すだれ状電極２４は７つの電極対を有し、２つの符号パターンを有する。その２つの符号パターンは、入力されるメッセージデジタル信号のパルス（０および１）に対応して、図４に示されているスイッチ１４によって互いに変換する。
【００４２】
図１０の送信デバイスおよび図１０の受信デバイスから成るデジタル通信用送受信システムにおいて、もしもメッセージデジタル信号が入力用端子１を介してパルス発生器１７に印加されると、メッセージデジタル信号のパルス（０および１）にそれぞれ対応する第１および第２タイミングパルスが発生する。第１および第２タイミングパルスがそれぞれ入力用すだれ状電極２４に到達すると、入力用すだれ状電極２４の電極対の再編成が起こり、２つの符号パターンが生じる。このようにして、入力用すだれ状電極２４は、到達するタイミングパルスの種類に応じて符号パターンを変換させた上でそれぞれのタイミングパルスを受けている。第１および第２タイミングパルスが入力用すだれ状電極２４に印加されると、第１および第２弾性表面波がそれぞれ第１圧電基板２に励振される。結果として、入力用すだれ状電極２４を使用することにより、第１入力用すだれ状電極１８および第２入力用すだれ状電極１９を使用したのと同様な効果が得られる。
【００４３】
【発明の効果】
本発明のデジタル通信用送受信システムは、送信デバイスおよび受信デバイスから成り、小型軽量で、デバイス構成が簡便で、回路構成も簡便である。従って、大量生産が可能である。また、耐久性に優れていることから使用頻度の多さや煩雑な使用にも対応しうる。
【００４４】
本発明のデジタル通信用送受信システムでは、ベースバンドでのデジタル通信システムを実現することが可能である。そのうえ、送信するメッセージデジタル信号の秘匿性に優れ、送受信デバイス間の相互認識機能にも優れており、メッセージデジタル信号自体を疑似雑音信号として送信することが可能である。さらに、低消費電力駆動が可能である。本発明のデジタル通信用送受信システムが弾性表面波マッチドフィルタを取り入れていることの利点は、実時間同期が可能であること、そして、簡易通信システムの構築が可能なことである。
【００４５】
本発明のデジタル通信用送受信システムでは、入力用および出力用すだれ状電極のそれぞれの符号パターンが一定の時間ごとに変化する手段を備えた構造が可能である。このような構造を採用することにより、送信するメッセージデジタル信号の秘匿性をさらに向上させることができる。
【００４６】
本発明のデジタル通信用送受信システムの受信デバイスでは、第２圧電基板において第２電極群で励振された弾性表面波の伝搬方向が、中継用すだれ状電極で励振された弾性表面波の伝搬方向と直交するように、第２電極群、中継用すだれ状電極および出力用すだれ状電極を配置した構造が可能である。第２圧電基板として圧電セラミック板を採用する場合等にはこのような構造を採用することが可能である。
【００４７】
本発明のデジタル通信用送受信システムでは、入力用すだれ状電極の代わりに第１および第２入力用すだれ状電極を用い、出力用すだれ状電極の代わりに第１および第２出力用すだれ状電極を用いる構造が可能である。この場合、第１および第２入力用すだれ状電極は、それぞれ少なくとも３つの電極対から成り、電極対の隣り合う２つは離間距離Lを有する。また、第１および第２入力用すだれ状電極はそれぞれ別の符号パターンを有する。第１および第２出力用すだれ状電極は第１および第２入力用すだれ状電極とはそれぞれ逆の符号パターンを有する。このような構造を採用することによっても、秘匿性に優れたベースバンドでのデジタル通信システムを実現することが可能である。
【００４８】
本発明のデジタル通信用送受信システムでは、第１および第２入力用すだれ状電極それぞれの符号パターンが一定の時間ごとに変化する手段を備えると同時に、第１および第２出力用すだれ状電極それぞれの符号パターンが一定の時間ごとに変化する手段を備えた構造が可能である。このような構造を採用することにより、送信するメッセージデジタル信号の秘匿性をさらに向上させることができる。
【００４９】
本発明のデジタル通信用送受信システムでは、第１および第２入力用すだれ状電極の代わりに１つの入力用すだれ状電極が備えられ、その１つの入力用すだれ状電極は２つの符号パターンを有し、それら２つの符号パターンは印加されるメッセージデジタル信号のパルス（０および１）に応じて互いに変換される構造が可能である。
【００５０】
本発明のデジタル通信用送受信システムでは、第１電極群がすだれ状電極A0およびA1から成り、第２電極群が中央すだれ状電極B0、左すだれ状電極B-1および右すだれ状電極B1から成る構造の他に、第１電極群がすだれ状電極A0およびAi {i=1, 2,…, (n-1)}から成り、第２電極群が中央すだれ状電極B0、左すだれ状電極B-1および右すだれ状電極Bi {i=1, 2,…, (n-1)}から成る構造が可能である。このような構造を採用することにより、送信するメッセージデジタル信号の秘匿性をさらに向上させることができる。
【００５１】
本発明のデジタル通信用送受信システムでは、第１および第２圧電基板が圧電セラミックで成り、その圧電セラミックの分極軸の方向が厚さ方向と平行である構造が可能である。このような構造を採用することにより、電気信号および弾性表面波の相互の変換効率を向上させることができる。
【図面の簡単な説明】
【図１】本発明のデジタル通信用送受信システムに含まれる送信デバイスの第１の実施例を示す構成図。
【図２】入力用すだれ状電極３の平面図。
【図３】本発明のデジタル通信用送受信システムに含まれる受信デバイスの第１の実施例を示す構成図。
【図４】入力用すだれ状電極３の代わりに用いられるもう一つの入力用すだれ状電極１３の部分平面図。
【図５】送信デバイスの第２の実施例を示す構成図。
【図６】受信デバイスの第２の実施例を示す構成図。
【図７】送信デバイスの第３の実施例を示す構成図。
【図８】受信デバイスの第３の実施例を示す構成図。
【図９】送信デバイスの第４の実施例を示す構成図。
【図１０】受信デバイスの第４の実施例を示す構成図。
【図１１】送信デバイスの第５の実施例を示す構成図。
【符号の説明】
１    入力用端子
２    第１圧電基板
３    入力用すだれ状電極
４    第１電極群
５    包絡線検波器
６    出力用端子
７    受信用端子
８    第２圧電基板
９    第２電極群
１０  中継用すだれ状電極
１１  出力用すだれ状電極
１２  検出用端子
１３  入力用すだれ状電極
１４  スイッチ
１５  スイッチ
１６  スイッチ
１７  パルス発生器
１８  第１入力用すだれ状電極
１９  第２入力用すだれ状電極
２０  パルス発生器
２１  検出器
２２  第１出力用すだれ状電極
２３  第２出力用すだれ状電極
２４  入力用すだれ状電極
A0，A1，A2，A3  すだれ状電極
B0  中央すだれ状電極
B-1  左すだれ状電極
B1，B2，B3  右すだれ状電極
【図１】
0004478852.tif 000002
【図２】
0004478852.tif 000003
【図３】
0004478852.tif 000004
【図４】
0004478852.tif 000005
【図５】
0004478852.tif 000006
【図６】
0004478852.tif 000007
【図７】
0004478852.tif 000008
【図８】
0004478852.tif 000009
【図９】
0004478852.tif 000010
【図１０】
0004478852.tif 000011
【図１１】
0004478852.tif 000012